(57)【要約】      （修正有）【課題】太陽電池モジュールの出力測定の精度を格段に向上させる分光感度測定用セルを提供する。【解決手段】太陽電池モジュールの出力測定用に使用する分光感度測定用セル２０を出力測定する太陽電池モジュールと同一ロットで製造された太陽電池モジュール内のセルを切り出し加工し構成する。【選択図】図２
0003197795.tif 000002
【実用新案登録請求の範囲】
【請求項１】
太陽電池モジュールの出力測定用に使用する分光感度測定用セルであって、
前記出力測定する太陽電池モジュールと同一ロットで製造された太陽電池モジュール内のセルのうち、
複数枚のセルが接続されたストリング内の太陽電池モジュールの端から１個目のセル部分をストリング同士を接続している横バスを含み切り出したことを特徴とする分光感度測定用セル。
【考案の詳細な説明】
【技術分野】
【０００１】
本考案は、太陽電池モジュールの出力特性の測定において使用する分光感度測定用セルに関する。
【背景技術】
【０００２】
太陽電池はクリーンなエネルギ源として増々その重要性が認められて需要が高まり、また、大型機器類のパワーエネルギ源から精密な電子機器分野での小型電源まで、様々な分野での需要も高まっている。なお、本明細書において、太陽電池とは太陽電池モジュール（以下、単に「モジュール」ということもある）と太陽電池セル（以下、単に「セル」ということもある）を含む概念である。
【０００３】
太陽電池が様々な分野で広く利用されるには、太陽電池の特性、とりわけ出力特性が正確に測定されていないと、太陽電池を使用する側においても様々な不都合が予測される。このため従来から太陽電池の出力特性を測定するための擬似太陽光照射装置（以下、ソーラーシミュレータという）が提案され実用にも供されているが、未だ解決すべき問題もある。
【０００４】
太陽電池モジュールの出力特性を測定するには、モジュール内のセルと同じ分光感度を有する単セルを予め準備する必要がある。なぜならば、分光感度を測定して、同じ分光感度を有する基準太陽電池を選択するする必要があるからである。
【０００５】
また、太陽電池モジュールの一般的な測定においては、基準太陽電池モジュールの出力を測定し、有効照射面上の照射照度を１０００Ｗ／ｍ２に調整を行い、その後試験体となる太陽電池モジュールの出力を測定する。
【０００６】
しかし同じ分光感度を有する太陽電池セルをモジュールとは別に入手することは難しい。太陽電池モジュールメーカーは、太陽電池セル単独で供給をしない。またセルは、ロットにより特性に多少の差がある。太陽電池モジュールの供給を受けてからでは、同じロットの太陽電池セルを入手するのが難しい。
【０００７】
太陽電池セルの分光感度を確認する方法として、太陽電池モジュール内部の太陽電池セル１枚の分光感度を測定する方法がある。この方法は、以下のような問題がある。太陽電池モジュールは、その大きさが１ｍ×１．６ｍ、セル枚数は６０枚とサイズが大きく、その太陽電池モジュール全体に光を照射する必要があり装置が大型化する。また照射する光が均一でないと、精度よく分光感度を測定できない。また６０枚のセルに分光感度にバラツキがあると分光感度を精度よく測定できない。
【考案の開示】
【考案が解決しようとする課題】
【０００８】
本考案は、太陽電池モジュールの出力特性測定の上記の問題を解決し、太陽電池モジュールの出力測定の精度を格段に向上させるための、太陽電池モジュールの出力測定用の分光感度測定用セルを提供することを目的とする。
【課題を解決するための手段】
【０００９】
上記課題を解決することを目的としてなされた第１考案の分光感度測定用セルは、以下を特徴としている。
太陽電池モジュールの出力測定用に使用する分光感度測定用セルであって、
前記出力測定する太陽電池モジュールと同一ロットで製造された太陽電池モジュール内のセルのうち、
複数枚のセルが接続されたストリング内の太陽電池モジュールの端から１個目のセル部分をストリング同士を接続している横バスを含み切り出したことを特徴とする。
【００１０】
本考案の分光感度測定用セルによれば、出力測定する太陽電池モジュールと同じロットで製造された太陽電池モジュールから太陽電池セル部分を切り出しているので、その太陽電池セルの分光感度を測定すれば、出力測定する太陽電池モジュール内の太陽電池セルの分光感度が分かる。したがってその分光感度測定用セルで測定した分光感度を用いて試験体としての太陽電池モジュールの出力特性を従来よりも格段に正確に測定することができる。
【００１１】
また本考案の分光感度測定用セルは、太陽電池モジュールの複数枚のセルが接続されたストリング内の太陽電池モジュールの端から１個目のセル部分を、ストリング同士を接続している横バスを含み切り出しているので、分光感度測定用セルとしての配線作業が非常に容易である。
【図面の簡単な説明】
【００１２】
【図１】太陽電池モジュールの全体説明図。
【図２】本考案の分光感度測定用セルの斜視図。
【図３】本考案の分光感度測定用セルの詳細説明図。
【図４】本考案の分光感度測定用セルの詳細説明図。
【考案を実施するための最良の形態】
【００１３】
次に本考案の実施の形態例について、図を参照して説明する。
図１（ａ）は、本考案を適用する太陽電池モジュールの一例を模式的に示した平面図、図１（ｂ）は図１（ａ）の縦断正面図、図２は本考案の分光感度測定用セルの斜視図、図３及び図４は本考案の分光感度測定用セルの詳細説明図である。
【００１４】
＜１＞太陽電池モジュール
ここで本考案の分光感度測定用セルを作製するために使用する太陽電池モジュールについて図１により説明する。図１は、太陽電池モジュール１０として結晶系セルを使用した太陽電池モジュールの構成を示す説明図である。図１（ａ）は、太陽電池モジュール１０の平面図であり、図１（ｂ）はその断面図である。太陽電池モジュール１０は、図示のように、透明なカバーガラス１１と裏面材１２との間に、充填材１３、１３を介して複数列のストリング１４（太陽電池セル１６を複数枚接続したもの）を挟み込んだ構成を有する。裏面材１２にはＰＥＴ樹脂、フッ素樹脂系のシート材料が使用される。充填材１３、１３にはＥＶＡ（エチレンビニルアセテート）樹脂等が使用される。また充填材としては、ＰＶＢ、ポリオレフィン、アイオノマー等を使用する場合もある。ストリング１４は、電極（横バス）１５、１５の間に結晶系セルとしての太陽電池セル１６をリード線１７を介して接続した構成である。このように積層した太陽電池モジュールの構成部材をラミネート装置にてラミネート加工する。その後、太陽電池モジュールの周辺部にシール材等を塗布しフレーム材１８をセットし太陽電池モジュール１０が形成される。尚フレーム材は、必須ではなくフレームレスとしたモジュールもあり、本発明の対象とすることもできる。
【００１５】
＜２＞分光感度測定用セル
分光感度測定用セル２０は、図１（ａ）及び図１（ｂ）の太陽電池モジュール１０の１点鎖線部を切り出して作製する。太陽電池モジュール１０から分光感度測定用セル２０を切り出す場所は、複数枚のセルが接続されたストリング１４のうち、ストリング１４のセルの配列方向において太陽電池モジュールの端から１個目のセル部分である。このセル部分をストリング同士を接続している横バス１５を含み切り出したものである。太陽電池モジュール１０から、分光感度測定用セル２０を切り出しする方法はウオータージェットなどの公知の方法により切り出しすることができる。切り出された分光感度測定用セル２０は、図２の斜視図のような形状である。
【００１６】
図２の斜視図のように切り出した分光感度測定用セル２０を図３及び図４の斜線部Ａ、Ｂ、Ｃ、及びＤ部分についてリード線１７が露出するまで素材部分を裏面材１２側から削除する。カバーガラス１１側（表面側基板）からでなく裏面材１２側から削除した方が作業は容易である。露出したリード線１７の表面にハンダにて追加配線Ｗを接続することにより分光感度測定用セル２０が完成する。
【産業上の利用可能性】
【００１７】
太陽電池モジュールの出力特性を測定する場合に、その太陽電池モジュールと同一ロットの太陽電池モジュールから切り出した太陽電池セルを使用し図２〜図４に示す分光感度測定用セルを作製し、その分光感度測定用セルを使用し太陽電池モジュールの出力特性を測定しているのでその測定精度を従来に比べ格段に向上させることができる。
【符号の説明】
【００１８】
１０    太陽電池モジュール
１１    カバーガラス
１２    裏面材
１３    充填材
１４    ストリング
１５    横バス（電極）
１６    太陽電池セル
１７    リード線
１８    フレーム材
２０    分光感度測定用セル
Ａ〜Ｄ  削除部分
Ｗ      追加配線
【図１】
0003197795.tif 000003
【図２】
0003197795.tif 000004
【図３】
0003197795.tif 000005
【図４】
0003197795.tif 000006